(57)【要約】      （修正有）【課題】  第１，第２空調機能を用いて、それぞれ主として第１エリア、第２エリアを空調する場合において、１つの空調機能が停止した場合であっても、空調していたエリアの快適性が損なわれにくいようにすることができる空気調和システム等を提供する。【解決手段】  インテリアゾーンＩＺとペリメータゾーンＰＺとを対象として空気調和を行うための協調空調システムであって、エアハン１４は、インテリアゾーンＩＺに対してエアハン給気ＳＡを給気することができる。また室内機２０３は、ペリメータゾーンＰＺに対してペリメータ給気ＳＢ２を給気することができる。流用ダクト９は、室内機２０３とは別に設けられ、ペリメータ給気ＳＢ２の少なくとも一部をエアハン１４のエアハン還気ＲＡの少なくとも一部となるように通過させることが可能となっている。バイパスＶＡＶユニット９０は、前記流用ダクト９を通過する流用空気ＳＢ１の流量を調整可能である。【選択図】        図２
2006064259.tif 000002
【特許請求の範囲】
【請求項１】
第１エリア（ＩＺ）と第２エリア（ＰＺ）とを対象として空気調和を行うための空気調和システムであって、
前記第１エリア（ＩＺ）に対して第１調和空気（ＳＡ）を給気可能な第１空調装置（１４）と、
前記第２エリア（ＰＺ）に対して第２調和空気（ＳＢ）を給気可能な第２空調装置（２０３）と、
前記第２エリア（ＰＺ）とは別に設けられ、前記第２調和空気（ＳＢ）の少なくとも一部を前記第１空調装置（１４）の還気（ＲＡ）の少なくとも一部となるように通過させることが可能な流路（９）と、
前記第２調和空気（ＳＢ）のうち前記流路（９）を通過する被調整空気（ＳＢ１）の流量を調整可能な流量調整装置（９０）と、
を備えた空気調和システム。
【請求項２】
前記第１空調装置（１４）は、前記第１空調装置（１４）の空調機能（４１，４２，４３，１１０）を停止した場合に、前記被調整空気（ＳＢ１）を前記第１エリア（ＩＺ）に対して給気する送風運転を行う、
請求項１に記載の空気調和システム。
【請求項３】
前記第１空調装置（１４）および前記第２空調装置（２０３）は、複数の空調対象エリアを有する物件に対して用いられ、
前記第１空調装置（１４）は、前記物件の複数の空調対象エリアに対して空調するセントラル空調方式による空調を行い、
前記第２空調装置（２０３）は、前記第１空調装置（１４）よりも空調対象エリアの広さおよび／または数が少ない個別的な空調方式による空調を行う、
請求項１または２に記載の空気調和システム。
【請求項４】
前記第１空調機能（４１，４２，４３，１１０）の運転に要するエネルギーは、前記第２空調機能（２２３）の運転に必要なエネルギーより多い、
請求項１から３のいずれか１項に記載の空気調和システム。
【請求項５】
前記第１空調装置（１４）は、前記第１エリア（ＩＺ）に対する前記第１調和空気（ＳＡ）の給気量を調整可能な第１給気量調整部（１７）を有する、
請求項１から４のいずれか１項に記載の空気調和システム。
【請求項６】
前記第１給気量調整部（１７）は、前記第１空調装置（１４）の還気（ＲＡ）の温度に基づいて、前記第１調和空気（ＳＡ）の給気量を調整する、
請求項５に記載の空気調和システム。
【請求項７】
前記流量調整装置（９０）は、前記第１調和空気（ＳＡ）の給気量に基づいて、前記被調整空気（ＳＢ１）の流量を調整する、
請求項５または６に記載の空気調和システム。
【請求項８】
前記第１給気量調整部（１７）は、前記第１エリア（ＩＺ）に対する給気量を、前記被調整空気（ＳＢ１）の流量を越える流量に調整する、
請求項５から７のいずれか１項に記載の空気調和システム。
【請求項９】
前記第１給気量調整部（１７）は、前記第１エリア（ＩＺ）に対する前記第１調和空気（ＳＡ）の吹出し量を調整可能な複数の第１エリア風量調整手段（１６）と、前記第１エリア風量調整手段（１６）に対して前記第１調和空気（ＳＡ）を供給する第１調和空気供給手段（４７）とを有する、
請求項５から８のいずれか１項に記載の空気調和システム。
【請求項１０】
前記第１給気量調整部（１７）は、前記第１エリア（ＩＺ）に対して前記第１調和空気（ＳＡ）を給気する場合の所定の許容量である第１許容量（ＳＡｍａｘ）があり、
前記第２空調装置（２０３）は、前記第１許容量（ＳＡｍａｘ）と前記第１給気量調整部（１７）による前記第１調和空気（ＳＡ）の給気量との関係に基づいて、前記第２調和空気（ＳＢ）の温度および／または流量を調整する、
請求項５から９のいずれか１項に記載の空気調和システム。
【請求項１１】
前記第１空調装置（１４）は、前記第１エリア（ＩＺ）の温度を検知可能な第１温度検知部（１８）を有しており、
前記流量調整装置（９０）は、前記第１温度検知部（１８）が検知する値に基づいて、前記被調整空気（ＳＢ１）の流量を調整する、
請求項１から１０のいずれか１項に記載の空気調和システム。
【請求項１２】
前記流量調整装置（９０）は、風量を調整することにより、前記被調整空気（ＳＢ１）の流量を調整する、
請求項１から１１のいずれか１項に記載の空気調和システム。
【請求項１３】
前記流量調整装置（１９０）は、前記流路（９）の仕切度合いを調整することにより、前記被調整空気（ＳＢ１）の流量を調整する、
請求項１から１１のいずれか１項に記載の空気調和システム。
【請求項１４】
前記第２空調装置（２０３）は、前記第２空調機能（２２３）によって調製される前記第２調和空気（ＳＢ）のトータル流量を、前記流量調整装置（９０）における被調整空気（ＳＢ１）の流量を越える流量に調整する、
請求項１から１３のいずれか１項に記載の空気調和システム。
【請求項１５】
前記第２空調装置（２０３）は、前記第２エリア（ＰＺ）の温度を検知可能な第２温度検知部（２５３）を有しており、
前記第２空調装置（２０３）は、前記第２温度検知部（２５３）が検知する値に基づいて、前記第２調和空気（ＳＢ）の温度および／または流量を調整する、
請求項１から１４のいずれか１項に記載の空気調和システム。
【請求項１６】
前記流量調整装置（９０）は、前記第２調和空気（ＳＢ）の温度または前記第２空調装置（２０３）の設定温度に基づいて、前記被調整空気（ＳＢ１）の流量を調整する、
請求項１から１５のいずれか１項に記載の空気調和システム。
【請求項１７】
前記流量調整装置（９０）は、前記被調整空気（ＳＢ１）の流量についての所定の許容量である被調整空気許容量（ＳＢ１ｍａｘ）があり、
前記第２空調装置（２０３）は、前記被調整空気許容量（ＳＢ１ｍａｘ）と前記被調整空気（ＳＢ１）の流量との関係に基づいて、前記第２調和空気（ＳＢ）の温度および／または流量を調整する、
請求項１から１６のいずれか１項に記載の空気調和システム。
【請求項１８】
前記第１空調装置（１４）の還気（ＲＡ）の少なくとも一部となるように外気（ＯＡ）を通過させることが可能な外気導入流路（４）と、
前記外気導入流路（４）を通過する外気（ＯＡ）の流量を調整可能な外気量調整装置（７０）と、
をさらに備えた、
請求項１から１７のいずれか１項に記載の空気調和システム。
【請求項１９】
前記外気量調整装置（７０）は、前記第１エリア（ＩＺ）の空気と前記外気（ＯＡ）との間のエンタルピおよび／または温度との関係に基づいて、前記外気（ＯＡ）の流量を調整する、
請求項１８に記載の空気調和システム。
【請求項２０】
前記流量調整装置（９０）は、前記外気量調整装置（７０）によって調整された前記外気（ＯＡ）の流量に基づいて、前記被調整空気（ＳＢ１）の流量を調整する、
請求項１８または１９に記載の空気調和システム。
【請求項２１】
前記外気導入流路（４）は、前記第２空調装置（２０３）の還気側、前記第２空調装置（２０３）の給気側の少なくともいずれか一方において前記外気（ＯＡ）が導入可能となるように配置される、
請求項１８から２０のいずれか１項に記載の空気調和システム。
【請求項２２】
前記第１エリア（ＩＺ）と前記第２エリア（ＰＺ）とは、空間的に連続した空調対象エリア（８０）であり、
前記第２エリア（ＰＺ）は、前記空調対象エリア（８０）のうちの外周近傍エリアであるペリメータゾーンであり、
前記第１エリア（ＩＺ）は、前記空調対象エリア（８０）のうち前記ペリメータゾーンよりも内部のエリアのインテリアゾーンである、
請求項１から２１のいずれか１項に記載の空気調和システム。
【請求項２３】
第１エリア（ＩＺ）に対して第１空調機能（４１，４２，４３，１１０）によって調製される第１調和空気（ＳＡ）を給気可能な第１空調装置（１４）と、第２エリア（ＰＺ）に対して第２空調機能（２２３）によって調製される第２調和空気（ＳＢ）を給気可能な第２空調装置（２０３）とによる空調を制御するための空調制御装置（１２）であって、
前記第１空調機能（４１，４２，４３，１１０）の運転停止を検知する検知部（１２ａ）と、
前記第２調和空気（ＳＢ）の少なくとも一部を前記第１空調装置（１４）の還気（ＲＡ）の少なくとも一部となるように前記第２エリア（ＰＺ）とは別に設けられた流路（９）を通過させる場合に、前記検知部（３１）による検知に基づいて、前記第２調和空気（ＳＢ）の流量を調整可能な流量調整装置（９０）の制御を行う制御部（１２ｂ）と、
を備えた空調制御装置（１２）。
【請求項２４】
前記制御部（１２ｂ）は、前記第１空調機能（４１，４２，４３，１１０）の運転が停止した場合に、前記流路（９）を通過する前記第２調和空気（ＳＢ）の流量を制御する、
請求項２３に記載の空調制御装置（１２）。
【請求項２５】
第１エリア（ＩＺ）と第２エリア（ＰＺ）とを対象として空気調和を行うための空気制御方法であって、
前記第１エリア（ＩＺ）に対して給気する第１調和空気（ＳＡ）を調製するために用いる第１空調装置（１４）の第１空調機能（４１，４２，４３，１１０）の運転を停止するステップと、
第２空調装置（２０３）の第２空調機能（２２３）によって調製される第２調和空気（ＳＢ）を前記第２エリア（ＰＺ）に対して給気するステップと、
前記第２調和空気（ＳＢ）の少なくとも一部を前記第１空調装置（１４）の還気（ＲＡ）の少なくとも一部となるように前記第２エリア（ＰＺ）とは別に設けられた流路（９）を通過させる場合に、前記第２調和空気（ＳＢ）の流量を調整するステップと、
を備えた空気制御方法。
【発明の詳細な説明】
【技術分野】
【０００１】
本発明は、空気調和システム、空調制御装置、空気制御方法、特に、第１エリアと第２エリアとを対象として空気調和を行うための空気調和システム、空調制御装置、空気制御方法に関する。
【背景技術】
【０００２】
ビル等の建造物に設置される空気調和システムでは、家庭内において用いられるペア型の空調装置等と異なり、オフィス等の１つの対象空間に対して複数台の室内機が配備される空調装置が用いられることが多い。これらの室内機は共通の空調環境提供手段として用いられ、中央の大型空調機と協同して動作し、セントラル空調方式と称される空調方式によって一括制御される。このセントラル空調方式を採用することで、負荷形態が比較的均一な対象空間に対して、概ね均一の空調環境を提供することが可能になる。
【０００３】
しかし、空調対象となる空間がビル等の場合には、インテリアゾーンとペリメータゾーン等の負荷形態の異なるエリアが対象に含まれることがある。すなわち、ＯＡ機器等が配置されているインテリアゾーンでは、年間を通じて屋外の気象状態等による影響を受けにくいため空調による熱負荷の変動は比較的小さい傾向にあるのに対し、ペリメータゾーンでは、窓からの輻射熱の影響を受けるために季節・時間によって熱負荷の変動は比較的大きくなる傾向がある。このため、インテリアゾーンでは、ＯＡ機器等からの発熱に対して概ね均一の冷房が行われ、ペリメータゾーンでは、窓からの輻射熱に応じて冷暖房の調整がされた空調が行われる。
【０００４】
上述の負荷形態の異なるエリアが空調対象に含まれている場合には、セントラル空調方式を採用した空気調和システムと、他の空気調和システムとが併用されることがある。例えば、主として空冷ヒートポンプユニットと室外機とから構成されておりペリメータゾーンを対象として空調する空気調和システムと、上述したセントラル空調方式の空気調和システムとが併用されることがある。この場合において、セントラル空調方式の空気調和システムをインテリア系統として採用し、空冷ヒートポンプ型の空気調和システムをペリメータ系統として採用して、これらを併用した空気調和システムとすることで、負荷形態の異なるエリアを含んだ空間を対象として空調する場合であっても、それらの部分的な負荷形態に対応させた総合的な空調管理を可能としている。
【０００５】
このように各システムが併用された空気調和システムが採用されているビル等では、コアタイム等の一般に空調負荷が大きいとされる時間帯に、セントラル空調方式と空冷ヒートポンプ型との両空気調和システムを同時に稼働させることで、インテリアゾーンおよびペリメータゾーンの両空間を快適な状態に維持している。しかし、残業時間帯等の一般に空調負荷が少ないとされる時間帯になると、通常、一括制御側のセントラル空調方式に備わる中央熱源機器の運転は停止され、セントラル空調方式の空調対象エリアであるインテリアゾーンを対象とした空調が行われなくなる。
【０００６】
これに対して、以下の特許文献１および特許文献２において示すように、残業時間帯等において、セントラル空調方式に備わる中央熱源機器の運転が停止された場合であっても、他方の稼働中の空冷ヒートポンプ型の空気調和システムに備わる熱源機器によって得られる調和空気を流用できるようなシステムが考案されている。すなわち、空冷ヒートポンプ型の熱源機器によって調和された空気が通過するダクトの接続先を、空冷ヒートポンプ型の空気調和システム用のダクトからセントラル空調方式の空気調和システムのダクトに切り替えたり、セントラル空調方式による空調対象エリアであったインテリアゾーンに対して給気可能な給気ダクトを付設する等により、セントラル空調方式の空気調和システムが対象としているインテリアゾーンに対しても、調和空気を給気することができるようにしている。
【特許文献１】特開平０５−１５７２８１号公報
【特許文献２】特開平０６−４２７６９号公報
【発明の開示】
【発明が解決しようとする課題】
【０００７】
上述した従来の空気調和システムでは、セントラル空調方式に備わる中央熱源機器の運転が停止された場合において、空冷ヒートポンプ型の熱源機器によって得られる調和空気を、インテリアゾーンとペリメータゾーンとの両空間に対して給気している。ところが、インテリアゾーンに対しては、対応する空調システムである空冷ヒートポンプ型の熱源機器によって得られる調和空気が供給されるものの、インテリアゾーンにおいてはインテリアゾーンの環境条件等に基づく空調負荷の変動が考慮されないために、インテリアゾーンにおける快適性が損なわれてしまうおそれがある。
【０００８】
本発明は上述した点に鑑みてなされたものであり、本発明の課題は、第１空調機能を用いて主として第１エリアを空調して第２空調機能を用いて主として第２エリアを空調する場合において、１つの空調機能が停止した場合であっても、当該空調機能を用いて空調していたエリアの快適性が損なわれにくいようにすることができる空気調和システム、空調制御装置、空気制御方法を提供することにある。
【課題を解決するための手段】
【０００９】
第１発明に係る空気調和システムは、第１エリアと第２エリアとを対象として空気調和を行うための空気調和システムであって、第１空調装置と、第２空調装置と、流路と、流量調整装置とを備えている。第１空調装置は、第１エリアに対して第１調和空気を給気することができる。ここでの第１調和空気には、例えば、熱交換によって温度調整された空気や湿度調整された空気や状態の異なる複数の空気を混合させて得られる空気等が含まれる。第２空調装置は、第２エリアに対して第２調和空気を給気することができる。流路は、第２エリアとは別に設けられ、第２調和空気の少なくとも一部を第１空調装置の還気の少なくとも一部となるように通過させることが可能となっている。流量調整装置は、第２調和空気のうち流路を通過する被調整空気の流量を調整可能である。
【００１０】
従来の空気調和システムでは、１つの物件に対して２つの空調装置が用いられ、空調負荷の異なるエリアに対してそれぞれ空調装置を対応させることで両エリアを空調している。ところが、一方の空調装置の空調機能が停止された場合には当該停止した空調装置によって空調されていたエリアを空調することができない。この場合、他方の稼働中の空調装置によって得られる調和空気を当該停止した空調装置によって空調されていたエリアに対して給気させることで当該エリアの空調が行われている。しかし、単に他方の稼働中の空調装置によって得られる調和空気を当該エリアに対して給気するだけでは、当該エリアの環境条件等に基づく空調負荷の変動が考慮されず、快適性が損なわれてしまうおそれがある。
【００１１】
しかし、第１発明に係る空気調和システムでは、第２エリアとは別に設けられ、第２調和空気の少なくとも一部を第１空調装置の還気の少なくとも一部となるように通過させることが可能な流路を備えている。そして、第２調和空気のうちこの流路を通過する被調整空気の流量を、流量調整装置によって調整することができる。このため、第１空調装置の空調機能が停止した場合であっても、この流路を通過する被調整空気の流量が調整されることで、第１エリアにおいて要求されている調和空気を調製して給気することができる。このため、１つの空調機能が停止した場合であっても、当該空調機能を用いて空調していたエリアの快適性が損なわれにくいようにすることが可能になる。
【００１２】
第２発明に係る空気調和システムは、第１発明の空気調和システムであって、第１空調装置は、第１空調装置の空調機能を停止した場合に、被調整空気を第１エリアに対して給気する送風運転を行う。
ここでは、第１空調装置の空調機能が停止した場合であっても、流量調整装置による流量調整だけでなく、第１空調装置の送風機能を積極的に有効に利用することで、第１空調装置が空調対象としている第１エリアに対して、より確実に調和空気を給気できるようになる。これにより、第１空調装置の空調機能における熱交換等の負荷をなくして省エネを図るとともに、第１エリアの空調をより確実に行うことが可能となる。
【００１３】
第３発明に係る空気調和システムは、第１発明または第２発明の空気調和システムであって、第１空調装置および第２空調装置は、複数の空調対象エリアを有する物件に対して用いられる。また、第１空調装置は、物件の複数の空調対象エリアに対して空調するセントラル空調方式による空調を行い、第２空調装置は、第１空調装置よりも空調対象エリアの広さおよび／または数が少ない個別的な空調方式による空調を行う。
【００１４】
ここでは、より個別的な空調方式の第２空調方式を稼働させて、セントラル空調方式の第１空調機能を優先して停止させることにより、より効果的な省エネを図ることが可能になる。
第４発明に係る空気調和システムは、第１発明から第３発明のいずれかの空気調和システムであって、第１空調機能の運転に要するエネルギーは、第２空調機能の運転に必要なエネルギーより多い。
【００１５】
ここでは、運転に要するエネルギーの多い方の空調機能を優先して停止させることができる。このため、より効果的な省エネを図ることが可能になる。
第５発明に係る空気調和システムは、第１発明から第４発明のいずれかの空気調和システムであって、第１空調装置は、第１エリアに対する第１調和空気の給気量を調整可能な第１給気量調整部を有する。
【００１６】
ここでは、第１空調機能の運転が停止した場合であっても、第１空調装置の第１給気量調整部の調整機能を生かして、第１エリアに対する第１調和空気の給気量を調整することができる。このため、第１エリアの快適性が損なわれないような効果的な空調を行うことが可能になる。
第６発明に係る空気調和システムは、第５発明の空気調和システムであって、第１給気量調整部は、第１空調装置の還気の温度に基づいて、第１調和空気の給気量を調整する。
【００１７】
ここでは、第１空調装置の還気の温度に基づいて第１エリアに対する第１調和空気の給気量を調整することで、第１エリアの快適性を損ないようなより効果的な空調を行うことが可能になる。
第７発明に係る空気調和システムは、第５または６発明の空気調和システムであって、流量調整装置は、第１調和空気の給気量に基づいて、被調整空気の流量を調整する。
【００１８】
ここでは、流量調整装置が、被調整空気の流量を、第１調和空気の給気量に基づいて調整することができる。このため、第１エリアにおいて求められる調和空気の状態を反映させて調整することができ、第１エリアのより有効な空調を行うことができるようになる。
第８発明に係る空気調和システムは、第５発明から第７発明のいずれかの空気調和システムであって、第１給気量調整部は、第１エリアに対する給気量を、被調整空気の流量を越える流量に調整する。
【００１９】
ここでは、第１給気量調整部による給気量が被調整空気の流量を超えてしまうと、流量調整装置からの空気を第１エリアに対して給気する場合の確実性が損なわれてしまうおそれがある。
これに対して、第８発明の空気調和システムでは、第１給気量調整部が、第１エリアに対する給気量を、被調整空気の流量を越える流量に調整する。このため、第１給気量調整部において、流量調整装置からの空気を積極的に第１エリアに対して給気することができ、第１エリアに対する空調の実効性を高めることができる。
【００２０】
また、例えば、さらに外気を取り込む場合においても、外気の取り込みが困難となるような問題を回避することができる。
第９発明に係る空気調和システムは、第５発明から第８発明のいずれかの空気調和システムであって、第１給気量調整部は、第１エリアに対する第１調和空気の吹出し量を調整可能な複数の第１エリア風量調整手段と、第１エリア風量調整手段に対して第１調和空気を供給する第１調和空気供給手段とを有する。
【００２１】
ここでは、第１空調機能の運転が停止されても、第１空調装置の有している複数の第１エリア風量調整手段と第１調和空気供給手段とを協働させることによって、第１エリア風量調整手段が配置されている第１エリアのゾーン毎に、各ゾーンに対応したより細やかな空調を行うことが可能となる。
第１０発明に係る空気調和システムは、第５発明から第９発明のいずれかの空気調和システムであって、第１給気量調整部は、第１エリアに対して第１調和空気を給気する場合の所定の許容量である第１許容量がある。そして、第２空調装置は、第１許容量と第１給気量調整部による第１調和空気の給気量との関係に基づいて、第２調和空気の温度および／または流量を調整する。
【００２２】
ここでは、第１エリアの空調負荷の変動に伴い第１給気量調整部の風量が許容量を超え、第１エリアの快適性が損なわれるおそれがある。
これに対して、第１０発明の空気調和システムでは、第１許容量と第１給気量調整部による第１調和空気の給気量との関係に基づいて、第２空調装置の能力である温度や流量が調整される。このため、第１エリアの空調の確実性を向上させることができる。
【００２３】
例えば、第１エリアの空調負荷の増大等に伴い第１給気量調整部の風量の許容量では空調を有効に行えなくなってきた場合に、第２空調装置が空調能力を上げる等により、第１エリアにおける空調負荷の変動に対応させることができる。また、例えば、第２空調装置が空調能力を上げることで第１給気量調整部の風量を低減させることができる場合には、第１空調装置の送風運転における省エネを図ることができる。また、逆に、第１風量調整の空調負荷が減少してきた場合には、第２空調装置が空調能力を下げることで、第２空調装置における空調負荷を低下させることにより省エネ効果を得ることもできる。
【００２４】
第１１発明に係る空気調和システムは、第１発明から第１０発明のいずれかの空気調和システムであって、第１空調装置は、第１エリアの温度を検知可能な第１温度検知部を有している。流量調整装置は、第１温度検知部が検知する値に基づいて、被調整空気の流量を調整する。なお、ここでの流量調整装置による被調整空気の流量の調整では、第１温度検知部が検知する値を直接的に反映させて調整を行う場合だけでなく、第１温度検知部が検知する値に基づいて変化する第１空調装置の還気温度等の値を反映させる等のように間接的に調整する場合も含まれる。
【００２５】
ここでは、流量調整装置が、被調整空気の流量を、第１温度検知部が検知する値に基づいて調整する。このため、第１エリアの温度状態が考慮されて、流量調整装置が流量調整によって温度調整を行うことが可能となり、第１エリアの空調をより効果的に行うことができるようになる。
第１２発明に係る空気調和システムは、第１発明から第１１発明のいずれかの空気調和システムであって、流量調整装置は、風量を調整することにより、被調整空気の流量を調整する。
【００２６】
ここでは、流量調整装置が、流路を通過させる風量を調整することで被調整空気の流量を調整する。このため、風量に応じて被調整空気の量を調整することで、第２調和空気のうち必要な量を流路を介して積極的に第１空調装置の還気側に送ることができるようになる。このため、被調整空気の流量をより確実に調整することができ、第２調和空気のうち必要な量をより確実に第１空調装置の還気側に送ることができるようになる。
【００２７】
第１３発明に係る空気調和システムは、第１発明から第１１発明のいずれかの空気調和システムであって、流量調整装置は、流路の仕切度合いを調整することにより、被調整空気の流量を調整する。
ここでは、流量調整装置が、流路の仕切度合いを調整することで被調整空気の流量を調整する。このため、流路の仕切度合いに応じて被調整空気の流量を調整することで、第２調和空気のうち必要な量を流路を介して第１空調装置の還気側に送ることができるようになる。このため、第２調和空気をより確実に第１空調装置の還気側に送ることができるようになる。
【００２８】
第１４発明に係る空気調和システムは、第１発明から第１３発明のいずれかの空気調和システムであって、第２空調装置は、第２空調機能によって調製される第２調和空気のトータル流量を、流量調整装置における被調整空気の流量を越える流量に調整する。
ここでは、第２空調装置が、第２空調機能によって調製される第２調和空気のトータル流量を、流量調整装置における被調整空気の流量を越える流量に調整する。このため、流量調整装置において必要とされる被調整空気の流量が増加する場合であっても、第２空調装置によって、第２調和空気の流量が被調整空気の流量を越える流量に調整される。このため、流量調整装置において必要とされる被調整空気の流量が増加する場合であっても、第２エリアに対する第２調和空気の給気を確保することが可能となる。これにより、第２エリアにおける空調の実行性を確保することが可能になる。
【００２９】
第１５発明に係る空気調和システムは、第１発明から第１４発明のいずれかの空気調和システムであって、第２空調装置は、第２エリアの温度を検知可能な第２温度検知部を有している。そして、第２空調装置は、第２温度検知部が検知する値に基づいて、第２調和空気の温度および／または流量を調整する。
ここでは、第２空調装置が、第２温度検知部が検知する値に基づいて、第２調和空気の温度および／または流量を調整する。このため、第１エリアだけでなく第２エリアについても快適性を損なわれにくいような空調を行うことが可能となる。
【００３０】
第１６発明に係る空気調和システムは、第１発明から第１５発明のいずれかの空気調和システムであって、流量調整装置は、第２調和空気の温度または第２空調装置の設定温度に基づいて、被調整空気の流量を調整する。
ここでは、流量調整装置が、第２調和空気の温度または第２空調装置の設定温度に基づいて、被調整空気の流量を調整する。このため、流量調整装置は、第２調和空気の温度または第２空調装置の設定温度に基づいて、第１エリアにおける空調に必要な量の被調整空気の流量に調整することができる。
【００３１】
なお、本第１６発明と、第１エリアの検知温度に基づく被調整空気の流量の調整（第１０発明）とが両立して実行されて流量調整される場合には、流量調整装置は、第１エリアを快適にするために必要とされる被調整空気の流量を、第２調和空気の温度または設定温度と第１エリアにおける設定温度との関係で調整することが可能になり、第１エリアの快適性が損なわれにくいようにより効果的な空調を行うことができるようになる。
【００３２】
例えば、第１エリアが冷房負荷の状態である場合においても、第２調和空気の設定温度が第１エリアの設定温度よりも低ければ低いだけ被調整空気の流量は少量で足りることになる。このように、流量調整装置は、第１エリアにおける空調に必要な量の被調整空気の流量に調整することができるようになる。
第１７発明に係る空気調和システムは、第１発明から第１６発明のいずれかの空気調和システムであって、流量調整装置は、被調整空気の流量についての所定の許容量である被調整空気許容量がある。そして、第２空調装置は、被調整空気許容量と被調整空気の流量との関係に基づいて、第２調和空気の温度および／または流量を調整する。
【００３３】
ここでは、第２空調装置が、被調整空気許容量と被調整空気の流量との関係に基づいて、第２調和空気の温度および／または流量を調整する。このため、第１エリアの空調負荷の増大等に伴い流量調整装置が被調整空気許容量を越えて、第１エリアの空調の実効性を確保することが困難な状況となりそうな場合であっても、第２空調装置の設定温度や流量等の空調能力を加減させて、流量調整装置における被調整空気の流量が被調整空気許容量を越えないようにすることが可能となり、第１エリアの快適性が損なわれることをより確実に抑えることができる。
【００３４】
第１８発明に係る空気調和システムは、第１発明から第１７発明のいずれかの空気調和システムであって、外気導入流路と、外気量調整装置とをさらに備えている。外気導入流路は、第１空調装置の還気の少なくとも一部となるように外気を通過させることができる。外気量調整装置は、外気導入流路を通過する外気の流量を調整することができる。
ここでは、外気導入流路と外気量調整装置とによって、第１空調装置の還気の少なくとも一部として利用される外気の量を調整しながら取り込むことができる。このため、外気の状態が所定の条件を満たす場合には、外気の量を調整しつつ取り込むことで、第１空調装置の空調負荷を低減させることが可能な還気を調製することができるようになる。
【００３５】
第１９発明に係る空気調和システムは、第１８発明の空気調和システムであって、外気量調整装置は、第１エリアの空気と外気との間のエンタルピおよび／または温度との関係に基づいて、外気の流量を調整する。
ここでは、外気量調整装置が、第１エリアの空気と外気との間のエンタルピおよび／または温度との関係に基づいて、外気の流量を調整する。このため、外気量調整装置は、外気の導入が効果的な場合に積極的に外気の導入量を増加させる等、外気の状態に応じた調整が可能となる。
【００３６】
第２０発明に係る空気調和システムは、第１８発明または第１９発明の空気調和システムであって、流量調整装置は、外気量調整装置によって調整された外気の流量に基づいて、被調整空気の流量を調整する。
ここでは、外気冷房が有効となる状態の有効外気を積極的に取り込むことができるように外気導入量を優先的に定めた上で、流量調整装置において被調整空気の流量を調整することで、空調機能が停止された対象空間の快適性を損なわれにくくすることが可能となるとともに、より省エネ化を図ることができるようになる。
【００３７】
第２１発明に係る空気調和システムは、第１８発明から第２０発明の空気調和システムであって、外気導入流路は、第２空調装置の還気側、第２空調装置の給気側の少なくともいずれか一方において外気が導入可能となるように配置される。
ここでは、外気導入流路が、第２空調装置の還気側、第２空調装置の給気側の少なくともいずれか一方において外気が導入可能となるように配置されるため、空気調和システムを対象物件に適用する際の配置の自由度を向上させることができる。なお、第２空調装置の還気側から導入する場合には、外気の温度や湿度は気象条件によって変化する性質があるものの、第２空調装置によって設定された温度に調整可能であるために、第１エリアに対して給気する空気を温度調整するための外気導入量の調整制御を不要にすることができる。
【００３８】
第２２発明に係る空気調和システムは、第１発明から第２１発明のいずれかの空気調和システムであって、第１エリアと第２エリアとは、空間的に連続した空調対象エリアであり、第２エリアは、空調対象エリアのうちの外周近傍エリアのペリメータゾーンである。また、第１エリアは、空調対象エリアのうちペリメータゾーンよりも内部のエリアのインテリアゾーンである。
【００３９】
ここでは、空調対象エリアにインテリアゾーンとペリメータゾーンとの空調負荷が異なるエリアが含まれている場合に、１つの空調機能が停止しても、当該空調機能を用いて空調していたエリアの快適性が損なわれにくいようにすることが可能になる。
第２３発明に係る空調制御装置は、第１エリアに対して第１空調機能によって調製される第１調和空気を給気可能な第１空調装置と、第２エリアに対して第２空調機能によって調製される第２調和空気を給気可能な第２空調装置とによる空調を制御するための空調制御装置であって、検知部と、制御部とを備えている。ここでの第１調和空気には、例えば、熱交換によって温度調整された空気や湿度調整された空気や状態の異なる複数の空気を混合させて得られる空気等が含まれる。検知部は、第１空調機能の運転停止を検知する。制御部は、第２調和空気の少なくとも一部を第１空調装置の還気の少なくとも一部となるように第２エリアとは別に設けられた流路を通過させる場合に、検知部による検知に基づいて、第２調和空気の流量を調整可能な流量調整装置の制御を行う。
【００４０】
従来の空調制御装置では、１つの物件に対して用いられる２つの空調装置の制御を行い、空調負荷の異なるエリアに対してそれぞれ空調装置を対応させて制御することで両エリアを空調している。ところが、一方の空調装置の空調機能が停止された場合には当該停止した空調装置によって空調されていたエリアを空調することができない。この場合、他方の稼働中の空調装置によって得られる調和空気を当該停止した空調装置によって空調されていたエリアに対して給気させる制御を行うことで当該エリアの空調が行われている。しかし、単に他方の稼働中の空調装置によって得られる調和空気を当該エリアに対して給気する制御を行うだけでは、当該エリアの環境条件等に基づく空調負荷の変動が考慮されず、快適性が損なわれてしまうおそれがある。
【００４１】
しかし、第２３発明に係る空調制御装置では、検知部による検知があった場合に、第２エリアとは別に設けられて第１空調装置の還気の少なくとも一部となるように通過させることが可能な流路を通過する第２調和空気の流量を、制御部によって制御することができる。このため、第１空調装置の空調機能が停止した場合であっても、この流路を通過する第２調和空気の流量が調整されることで、第１エリアにおいて要求されている調和空気を調製して給気する制御を行うことができる。このため、１つの空調機能が停止した場合であっても、当該空調機能を用いて空調していたエリアの快適性が損なわれにくいようにすることが可能になる。
【００４２】
第２４発明に係る空調制御装置は、第２３発明の空調制御装置であって、制御部は、第１空調機能の運転が停止した場合に、流路を通過する第２調和空気の流量を制御する。
ここでは、第１空調機能が停止したタイミングに応じて流路を通過する第２調和空気の流量を調整することができる。このため、第１空調装置の空調機能が停止した場合であっても、第１空調装置が空調対象としている第１エリアに対して、より確実に調和空気を給気できるようになる。
【００４３】
第２５発明に係る空調制御方法では、第１エリアと第２エリアとを対象として空気調和を行うための空気制御方法であって、３つのステップを備えている。第１のステップでは、第１エリアに対して給気する第１調和空気を調製するために用いる第１空調装置の第１空調機能の運転を停止する。ここでの第１調和空気には、例えば、熱交換によって温度調整された空気や湿度調整された空気や状態の異なる複数の空気を混合させて得られる空気等が含まれる。第２のステップでは、第２空調装置の第２空調機能によって調製される第２調和空気を第２エリアに対して給気する。第３のステップでは、第２調和空気の少なくとも一部を第１空調装置の還気の少なくとも一部となるように第２エリアとは別に設けられた流路を通過させる場合に、第２調和空気の流量を調整する。
【００４４】
従来の空調制御装置では、１つの物件に対して用いられる２つの空調装置の制御を行い、空調負荷の異なるエリアに対してそれぞれ空調装置を対応させて制御することで両エリアを空調している。ところが、一方の空調装置の空調機能が停止された場合には当該停止した空調装置によって空調されていたエリアを空調することができない。この場合、他方の稼働中の空調装置によって得られる調和空気を当該停止した空調装置によって空調されていたエリアに対して給気させる制御を行うことで当該エリアの空調が行われている。しかし、単に他方の稼働中の空調装置によって得られる調和空気を当該エリアに対して給気する制御を行うだけでは、当該エリアの環境条件等に基づく空調負荷の変動が考慮されず、快適性が損なわれてしまうおそれがある。
【００４５】
しかし、第２５発明に係る空調制御方法では、第２エリアとは別に設けられて第１空調装置の還気の少なくとも一部となるように通過させることが可能な流路を通過する第２調和空気の流量を、調整することができる。このため、第１空調装置の空調機能が停止した場合であっても、この流路を通過する第２調和空気の流量が調整されることで、第１エリアにおいて要求されている調和空気を調製して給気することができる。このため、１つの空調機能が停止した場合であっても、当該空調機能を用いて空調していたエリアの快適性が損なわれにくいようにすることが可能になる。
【発明の効果】
【００４６】
第１発明に係る空気調和システムでは、１つの空調機能が停止した場合であっても、当該空調機能を用いて空調していたエリアの快適性が損なわれにくいようにすることが可能になる。
第２発明に係る空気調和システムでは、第１空調装置の空調機能における熱交換等の負荷をなくして省エネを図るとともに、第１エリアの空調をより確実に行うことが可能となる。
【００４７】
第３発明に係る空気調和システムでは、より個別的な空調方式の第２空調方式を稼働させて、セントラル空調方式の第１空調機能を優先して停止させることにより、より効果的な省エネを図ることが可能になる。
第４発明に係る空気調和システムでは、運転に要するエネルギーの多い方の空調機能を優先して停止させることができ、より効果的な省エネを図ることができる。
【００４８】
第５発明に係る空気調和システムでは、このため、第１エリアの快適性が損なわれないような効果的な空調を行うことが可能になる。
第６発明に係る空気調和システムでは、このため、第１エリアの快適性を損ないようなより効果的な空調を行うことが可能になる。
第７発明に係る空気調和システムでは、第１エリアにおいて求められる調和空気の状態を反映させることができ、第１エリアのより有効な空調を行うことができるようになる。
【００４９】
第８発明に係る空気調和システムでは、第１給気量調整部において、流量調整装置からの空気を積極的に第１エリアに対して給気することができ、第１エリアに対する空調の確実性を向上させることができる。
第９発明に係る空気調和システムでは、第１空調機能の運転が停止されても、第１空調装置の有している複数の第１エリア風量調整手段と第１調和空気供給手段とを協働させることによって、第１エリア風量調整手段が配置されている第１エリアのゾーン毎に、各ゾーンに対応したより細やかな空調を行うことが可能となる。
【００５０】
第１０発明に係る空気調和システムでは、第１エリアの空調の確実性を向上させることができる。
第１１発明に係る空気調和システムでは、第１エリアの温度状態が考慮されて、流量調整装置が流量調整によって温度調整を行うことが可能となり、第１エリアの空調をより効果的に行うことができるようになる。
【００５１】
第１２発明に係る空気調和システムでは、被調整空気の流量をより確実に調整でき、第２調和空気の一部をより確実に第１空調装置の還気側に送ることができるようになる。
第１３発明に係る空気調和システムでは、第２調和空気をより確実に第１空調装置の還気側に送ることができるようになる。
第１４発明に係る空気調和システムでは、第２エリアにおける空調の実行性を確保させることが可能になる。
【００５２】
第１５発明に係る空気調和システムでは、第１エリアだけでなく第２エリアについても快適性を損なわれにくいような空調を行うことが可能となる。
第１６発明に係る空気調和システムでは、流量調整装置は、第２調和空気の温度または第２空調装置の設定温度に基づいて、第１エリアにおける空調に必要な量の被調整空気の流量に調整することができる。
【００５３】
第１７発明に係る空気調和システムでは、第１エリアの快適性が損なわれることをより確実に抑えることができる。
第１８発明に係る空気調和システムでは、外気の状態が所定の条件を満たす場合には、外気の量を調整しつつ取り込むことで、第１空調装置の空調負荷を低減させることが可能な還気を調製することができるようになる。
【００５４】
第１９発明に係る空気調和システムでは、外気量調整装置は、外気の導入が効果的な場合に積極的に外気の導入量を増加させる等、外気の状態に応じた調整が可能となる。
第２０発明に係る空気調和システムでは、空調機能が停止された対象空間の快適性を損なわれにくくすることが可能となるとともに、より省エネ化を図ることができるようになる。
【００５５】
第２１発明に係る空気調和システムでは、空気調和システムを対象物件に適用する際の配置の自由度を向上させることができる。
第２２発明に係る空気調和システムでは、１つの空調機能が停止しても、当該空調機能を用いて空調していたエリアの快適性が損なわれにくいようにすることが可能になる。
第２３発明に係る空調制御装置では、１つの空調機能が停止した場合であっても、当該空調機能を用いて空調していたエリアの快適性が損なわれにくいようにすることが可能になる。
【００５６】
第２４発明に係る空気調和装置では、第１空調装置の空調機能が停止した場合であっても、第１空調装置が空調対象としている第１エリアに対して、より確実に調和空気を給気できるようになる。
第２５発明に係る空調制御方法では、１つの空調機能が停止した場合であっても、当該空調機能を用いて空調していたエリアの快適性が損なわれにくいようにすることが可能になる。
【発明を実施するための最良の形態】
【００５７】
［協調空調システムの構成］
本発明の一実施形態に係る協調空調システムを、図１に示す。協調空調システムは、インテリジェント化されたビル等を対象として空調設備の運転・管理を行うシステムであって、セントラル空調システム１００とビル用マルチ空調システム２００とが、上位のシステムである設備管理装置１２によって協調制御されることにより運用されるシステムである。
【００５８】
＜設備管理装置による協調制御＞
設備管理装置１２は、図１に示すように、セントラル空調システム１００とビル用マルチ空調システム２００とから各種データを取得する取得部１２ａと、取得部１２ａで取得したデータに基づいてこれらの各システムの制御を行う制御部１２ｂとを備えている。設備管理装置１２は、セントラル空調システム１００とビル用マルチ空調システム２００とを協働させて、空調対象エリアの快適化を図る協調制御を行う。
【００５９】
＜セントラル空調システムの詳細構成＞
セントラル空調システム１００は、本協調空調システムが採用される複数の部屋等から構成される１つのビルに対して、１つの中央熱源機器１１０を運転することにより、複数の部屋等の全てを対象として空調を行う構成となっている。したがって、セントラル空調システム１００の中央熱源機器１１０の運転が停止されると、全てのエリアにおける熱交換ができなくなり、空調が行われなくなる。
【００６０】
セントラル空調システム１００の構成について、セントラル空調システム１００を主に示した図２を用いて説明する。このセントラル空調システム１００は、主に、エアハン１４、ＶＡＶユニット１６、および排気ファン５１を１パック化したパッケージシステムであり、エアハン１４内のエアハンコントローラ３１や調製装置コントローラ３２によってパック内の制御を完結させることが可能である。また、セントラル空調システム１００のエアハンコントローラ３１および調製装置コントローラ３２は、ネットワークによって上位システムであるＢＡＳ（ビル・オートメーション・システム）と接続される。
【００６１】
エアハン１４は、中央熱源機器１１０から冷水や温水を得て熱交換を行いＶＡＶユニット１６に供給する空気を冷却したり暖めたりする主機能を有するとともに、加湿機能も有する空調機ユニットである。エアハン１４は、フィルタ５３、冷却部４１、加熱部４２、および加湿部４３を備えている。フィルタ５３は、エアハン１４に取り込まれる還気や外気の空気を通過させて、空気を清浄化させる。冷却部４１には、冷水バルブ４４により調整された流量の冷水が流される。加熱部４２には、温水バルブ４５により調整された流量の温水が流される。加湿部４３は、複数のノズルを有しており、加湿バルブ４６により調整された蒸気を噴霧する。これらの冷却部４１、加熱部４２、および加湿部４３は、図２において示すように、上述したセントラル空調システム１００の中央熱源機器１１０と協働されることで、各機能が発揮される。
【００６２】
また、エアハン１４内には、エアハン１４の各バルブ４４，４５，４６や給気ファン４７，排気ファン５１，外気導入ダンパ７７，還気ダンパ４９，排気ダンパ５２等を制御するエアハンコントローラ３１が配置されている。
このエアハンコントローラ３１は、さらに、後述するＶＡＶユニット１６のＶＡＶコントローラ６１を介してＶＡＶダンパ６２を制御したり、ＶＡＶユニット１６やインテリア温湿度センサ１８から部屋８０のインテリアゾーンＩＺの温度データ等を受信したりする。
【００６３】
冷却部４１、加熱部４２、および加湿部４３により調和された空気をＶＡＶユニット１６へと送り出すための給気ファン４７や、部屋８０や廊下・トイレ等から排気を行うための排気ファン５１は、エアハンコントローラ３１によってインバータ制御される。また、排気ファン５１の上流側で排気量を調整する排気ダンパ５２は、エアハンコントローラ３１によってその開度が調整される。
【００６４】
ＶＡＶユニット１６は、エアハン１４内の給気ファン４７によって送られてくる調和された空気を、その量を調整して部屋８０のインテリアゾーンＩＺに対して吹き出す風量調整機器（Variable Air Volume unit）である。ここでは、１台のエアハン１４に対して、複数台のＶＡＶユニット１６が接続される。このＶＡＶユニット１６は、給気ファン４７と協働して風量調整装置１７を構成する。また、各ＶＡＶユニット１６は、インテリアゾーンＩＺにおいて所定の間隔で配置される。ＶＡＶユニット１６は、ＶＡＶコントローラ６１、ＶＡＶダンパ６２、温度センサ６３、湿度センサ（図示せず）、風量センサ（図示せず）等を備えている。ＶＡＶコントローラ６１は、後述するローカル通信ライン２０を介してエアハンコントローラ３１に接続され、エアハンコントローラ３１の指令を受けてＶＡＶダンパ６２の開度を調整したり、ＶＡＶダンパ６２等の状態をエアハンコントローラ３１に送信したりする。
【００６５】
また、エアハンコントローラ３１は、さらに、調製装置コントローラ３２およびバイパスＶＡＶユニット９０のバイパスＶＡＶ制御部９１を介してバイパスＶＡＶダンパ９２を制御したり、調製装置コントローラ３２およびエアハン還気調製装置７０の外気導入量制御部７５を介してダンパ７６を制御したりする。また、エアハンコントローラ３１は、調製装置コントローラ３２を介して、流用空気温湿度センサ９３から流用空気ＳＢ１（図４参照）の温湿度データ等を受信したり、混合空気温湿度センサ７４、エアハン還気温湿度センサ７８、外気温湿度センサ７９等から各温湿度データ等を受信したりする。
【００６６】
バイパスＶＡＶユニット９０は、ビル用マルチ空調システム２００の室内機２０３によって得られる調和空気をエアハン１４の還気側に送るための流用ダクト９（図４参照）において、通過する調和空気の風量を調整する。このバイパスＶＡＶユニット９０は、調製装置コントローラ３２によってその風量が制御されることで、流用空気ＳＢ１（図４参照）の流量が調整される。
【００６７】
エアハン還気調製装置７０には、外気導入ダンパ７７が設けられており、所定の換気量を補償するためにエアハン１４の還気側に外気を導入する。この外気導入ダンパ７７は、調製装置コントローラ３２によってその開度が制御されることで、外気の導入量が調整される。
バイパスＶＡＶ制御部９１は、後述する通信線２９を介して調製装置コントローラ３２と接続され、外気導入量制御部７５は、後述する通信線２７を介して調製装置コントローラ３２と接続され、この調製装置コントローラ３２がローカル通信ライン２２を介してエアハンコントローラ３１に接続される。調製装置コントローラ３２は、エアハンコントローラ３１からの指令を受けて、バイパスＶＡＶユニット９０の流用空気ＳＢ１の流量を調整したり、外気導入ダンパ７７の外気の導入量を調整したり、バイパスＶＡＶユニット９０や外気導入ダンパ７７等の状態をエアハンコントローラ３１に送信したりする。また、調製装置コントローラ３２は、バイパスＶＡＶユニット９０の制御とエアハン還気調製装置７０の外気導入ダンパ７７の制御とを関連させた制御を行う。
【００６８】
（エアハンコントローラとＶＡＶコントローラとの接続）
ＶＡＶコントローラ６１は、接続ポート６１ａによってローカル通信ライン２０に接続されている。
ローカル通信ライン２０は、エアハンコントローラ３１が持つ３つの接続ポート３１ａ，３１ｂ，３１ｃのうちローカル通信用接続ポート３１ｂから延びるツイストペアケーブルである。
【００６９】
エアハンコントローラ３１は、上記のローカル通信用接続ポート３１ｂを、上位システムとの通信用である上位通信用接続ポート３１ａとは別に備えている。したがって、ＶＡＶユニット１６は、ＢＡＳのネットワークの通信ライン１０を介することなくエアハン１４内のエアハンコントローラ３１とローカルに接続され、エアハン１４とともに１パック化される。
【００７０】
（エアハン内のコントローラとＶＡＶコントローラとの通信内容）
エアハン１４内のエアハンコントローラ３１は、ＶＡＶコントローラ６１へと制御データを送信するとともに、ＶＡＶコントローラ６１から送信されてくる監視データを受信する。制御データとは、発停指令、室内温度設定、冷暖房モード指令、ＶＡＶ起動／停止指令などである。監視データとは、給気温度計測値、室内計測温度、室内計測湿度、ＶＡＶ状態、ＶＡＶ要求風量、ＶＡＶ計測風量、ＶＡＶ開度状態などのデータである。
【００７１】
また、エアハンコントローラ３１には、各バルブ４４，４５，４６や各ダンパ４８，４９，５２、ファン４７，５１から状態データが送られてくる他、エアハン１４に配備されている差圧スイッチ、露点温度発信器、サーミスタ、湿度センサなど（図示せず）から所定のデータが送られてくる。例えば、エアハン１４の風量調整部１７（図４参照）では、エアハン給気ＳＡの給気量が、バイパスＶＡＶユニット９０における流用空気ＳＢ１の流量を越える流量となるように制御される。
【００７２】
（エアハンコントローラと調製装置コントローラとの接続）
調製装置コントローラ３２は、ＶＡＶコントローラ６１と同様に、接続ポート３２ａによってローカル通信ライン２２と接続されている。
ローカル通信ライン２２は、上述のローカル通信ライン２０と同様であり、エアハンコントローラ３１が持つ３つの接続ポート３１ａ，３１ｂ，３１ｃのうちローカル通信用接続ポート３１ｃから延びて調製装置コントローラ３２の接続ポート３２ａに接続されている。また、調製装置コントローラ３２は、通信線２７によって、エアハン還気調製装置７０、混合空気温湿度センサ７４、エアハン還気温湿度センサ７８、外気温湿度センサ７９等と接続され、制御を実行したり、データを検知することが可能となっている。また、調製装置コントローラ３２は、通信線２９によって、バイパスＶＡＶユニット９０、流用空気温湿度センサ９３等と接続され、制御を実行したり、データを検知することが可能となっている。調製装置コントローラ３２は、ＢＡＳのネットワークの通信ライン１０を介することなくエアハン１４内のエアハンコントローラ３１とローカルに接続することもできるようになっている。
【００７３】
また、エアハンコントローラ３１は、ローカル通信用接続ポート３１ｂと同様に、上記のローカル通信用接続ポート３１ｃを、上位システムとの通信用である上位通信用接続ポート３１ａとは別に備えている。したがって、外気導入ダンパ７７およびバイパスＶＡＶユニット９０は、ＢＡＳのネットワークの通信ライン１０を介することなくエアハン１４内のエアハンコントローラ３１とローカルに接続され、エアハン１４とともに上位のシステムから独立した制御を行うことが可能になっている。
【００７４】
（エアハンコントローラと調製装置コントローラとの通信内容）
エアハン１４内のエアハンコントローラ３１は、調製装置コントローラ３２へ後述するハイブリッド空調制御に関するデータを送信するとともに、調製装置コントローラ３２から送信されてくる検知データを受信する。ここでの検知データとしては、ビル用マルチ空調システム２００による調和空気の温度や湿度データ、ペリメータゾーンＰＺからの還気の温度や湿度データ、インテリアゾーンＩＺからの還気の温度や湿度データ、外気の温度や湿度等のデータ、室内温度設定データ、冷暖房モードデータ、ＶＡＶ起動／停止指令データ、ＶＡＶ要求風量、ＶＡＶ計測風量、ＶＡＶ開度状態等のデータがある。また、ハイブリッド空調制御に関するデータとしては、例えば、調製装置コントローラ３２において上記検知データを基にして算出されるデータである、バイパスＶＡＶユニット９０の流量制御データ、外気導入量制御データ等がある。例えば、バイパスＶＡＶユニット９０の流量制御データの算出は、主に、エアハン１４におけるエアハン給気ＳＡの給気量や、インテリア温湿度センサ１８の検知する値や、導入する外気ＯＡの温度、室内機２０３の設定温度またはビルマル給気ＳＢの温度に基づいた算出が行われる。
【００７５】
＜ビル用マルチ空調システムの詳細構成＞
本発明の協調空調システムの一部を構成するビル用マルチ空調システム２００の冷媒回路の概略図を、図３に示す。ビル用マルチ空調システム２００は、図１に示すように、主に、複数台の空冷式の室外機２０１、２０２・・・（なお、図３では複数のうちの１台である室外機２０２を例として図示する）と、それに並列に接続された複数台の室内機２０３，２０４，２０５・・・（なお、図３では室外機２０２に接続される複数の室内機２０３、２０４、２０５を図示する）とを備えており、上述のビル等のオフィス毎の空調に適用される。
【００７６】
ビル用マルチ空調システム２００では、室外機２０１，２０２・・・毎に、空調対象エリアが設定され、この各室外機２０１，２０２・・・に接続される各室内機２０３，２０４，２０５・・・によって、各空調対象エリアの空調負荷、空調時間帯等に応じた空調が行われる。ここで、室外機２０１に接続される室内機が空調対象とするエリアと、室外機２０２に接続される各室内機２０３，２０４，２０５・・・が空調対象とする複数の部屋からなるエリアとがある場合に、室外機２０２が対象とするエリアの空調は必要であると同時に室外機２０１が対象とするエリアの空調が不要となる状況が起こりうる。この場合、室外機２０１の熱源機器のみを停止して室外機２０１が対象とするエリアの空調をやめるとともに、室外機２０２が対象とするエリアの空調は室外機２０２の熱源機器の運転を続行させることで引き続き空調を行うことができる。この点で、ビル用マルチ空調システム２００は、セントラル空調システム１００と比べてより個別的な空調を行うことが可能となっている。
【００７７】
ここで、上述した室内機２０３、２０４、２０５のうち、室内機２０３が設置される部屋８０は、上述したインテリアゾーンＩＺとペリメータゾーンＰＺを有する室内空間である。また、図３において示すように、室内機２０４は部屋２３４に、室内機２０５は部屋２３５にそれぞれ設置される。ここでは、室内機２０３が設置される部屋８０と、その他の部屋２３４、２３５とは、それぞれ空調負荷、空調時間帯等の特性が異なっている場合においても、室内機２０３，２０４，２０５は、各対象エリアの空調負荷、空調時間帯等の特性に対応するような空調制御が可能となっている。なお、各室外機２０１、２０２・・・は、図１において示すように、ネットワークによって上位システムであるＢＡＳ（ビル・オートメーション・システム）と接続され、個別的な制御が可能になっている。
【００７８】
室外機２０１，２０２・・・は、屋外に配置されており、主に、圧縮機２１１と、室外熱交換器２１２とを有している。圧縮機２１１は、冷媒ガスを所定の圧力まで圧縮するための機器である。室外熱交換器２１２は、冷媒ガスを外気と熱交換させる機器、いわゆる、空冷式の熱交換器である。
室内機２０３、２０４、２０５・・・は、主に、膨張弁２１３、２１４、２１５と、室内熱交換器２２３、２２４、２２５とを有している。膨張弁２１３、２１４、２１５は、室外熱交換器２１２において熱交換されて凝縮された冷媒液を減圧する。室内熱交換器２２３、２２４、２２５は、膨張弁２１３、２１４、２１５において減圧された冷媒によって各室内の空気と熱交換させるための機器である。
【００７９】
例えば、図３に示すように、室外熱交換器２１２と膨張弁２１３、２１４、２１５とは、液側冷媒配管２１６によって接続されている。また、室内熱交換器２２３、２２４、２２５と圧縮機２１１とは、ガス側冷媒配管２１７によって接続されている。
以上のように、機器および冷媒配管が接続されて、ビル用マルチ空調システム２００の冷媒回路が構成されている。また、上記室内機２０３は、図４に示すように、送風機２４３や、ペリメータ温湿度センサ２５３等が備えられ、部屋８０のうち主にペリメータゾーンＰＺを対象として空調を行う室内機である。
【００８０】
なお、上記においては、冷房時について説明したが、ビル用マルチ空調システム２００では、図示しない四路切換弁を切り換えることで冷媒の流れを逆にして暖房運転を行わせることもできる。
＜協調空調システムを含むＢＡＳ＞
エアハンコントローラ３１を備えるセントラル空調システム１００と、ビル用マルチ空調システム２００とは、上位のシステムであるＢＡＳ（ビル・オートメーション・システム）を構成する複数のサブシステムのうちの１つとして位置づけられる。ＢＡＳは、ネットワークの技術を利用したオープンシステムであり、通信ライン１０にセントラル空調システム１００やビル用マルチ空調システム２００等のような複数のサブシステムおよびビル管理用の設備管理装置１２が接続される構成となっている。そして、セントラル空調システム１００やビル用マルチ空調システム２００等のサブシステムは、設備管理装置１２によって制御や監視を受けることになる。また、設備管理装置１２は、上述のように、セントラル空調システム１００とビル用マルチ空調システム２００とから各種データを取得する取得部１２ａと、取得部１２ａで取得したデータに基づいてこれらの各システムの制御を行う制御部１２ｂとを備えている。設備管理装置１２では、取得部１２ａで取得したデータに基づいて制御部１２ｂによってエアハン１４やＶＡＶユニット１６、調製装置コントローラ３２等への制御指令が作成され、送信される。
【００８１】
セントラル空調システム１００のエアハンコントローラ３１は、上位システムとの通信用である上位通信用接続ポート３１ａによって、ネットワークの通信ライン１０に接続される。上位通信用接続ポート３１ａは、上述のローカル通信用接続ポート３１ｂ、３２ｃやＶＡＶコントローラ６１の接続ポート６１ａや調製装置コントローラ３２の接続ポート３２ａと同じく、ネットワークに対応した通信用ＩＣのネットワーク機能を利用する接続ポートである。この上位通信用接続ポート３１ａにより通信ライン１０を介して設備管理装置１２と接続されたエアハンコントローラ３１は、設備管理装置１２との間で次のような情報のやりとりを行う。
【００８２】
まず、エアハンコントローラ３１は、設備管理装置１２から送られてくるエアハン１４やＶＡＶユニット１６、調製装置コントローラ３２等への指令を受信する。具体的には、エアハン１４の発停指令、ウォーミングアップ指令、給気温度設定指令、給気露点温度設定指令、外気冷房指令、室内温度設定指令、調製装置コントローラ３２に対するバイパスＶＡＶユニット９０の流量制御データ、外気導入ダンパ７７の外気導入量制御データ等が挙げられる。このような指令を受け、エアハンコントローラ３１は、エアハン１４やＶＡＶユニット１６を制御したり必要な監視データの収集を行い、調製装置コントローラ３２は、バイパスＶＡＶユニット９０の流量制御や、外気導入ダンパ７７の外気導入量制御等を行ったり、これらから必要な監視データの収集を行う。
【００８３】
また、エアハンコントローラ３１は、エアハン１４やＶＡＶユニット１６、バイパスＶＡＶユニット９０や外気導入ダンパ７７の状態や設定などに関する監視データを、設備管理装置１２に対して送信する。具体的には、運転モード状態、給気ファン運転状態、給気ファン警報状態、給気インバータ出力、フィルタ警報状態、給気温度計測値、還気ダンパ開度、冷水バルブ開度、室内計測温度、室内計測湿度、ＶＡＶ起動／停止指令データ、ＶＡＶ要求風量、ＶＡＶ計測風量、ＶＡＶ開度状態、ビル用マルチ空調システム２００による調和空気の温度や湿度データ、ペリメータゾーンＰＺからの還気の温度や湿度データ、インテリアゾーンＩＺからの還気の温度や湿度データ、外気の温度や湿度等のデータ、室内温度設定データ、冷暖房モードデータ等のデータといった監視データが挙げられる。
【００８４】
［協調空調システムのコアタイム中の空調制御］
＜セントラル空調システムによるインテリアゾーンを対象とした空調制御＞
エアハンコントローラ３１および調製装置コントローラ３２は、セントラル空調システム１００において、給気温度制御、給気露点温度制御、ウォーミングアップ制御、給気風量制御、給気温度ロードリセット制御および外気冷房制御等を行う。これによって、図４において示すように、セントラル空調システム１００によって、部屋８０のうち、主としてインテリアゾーンＩＺを対象とした空調を行うことができる。ここでのセントラル空調システム１００による空調は、インテリア温湿度センサ１８が検知する温湿度に基づいて行われる。ネットワークの通信ライン１０を介して上位の設備管理装置１２と接続された後には、設備管理装置１２からの指令によってエアハンコントローラ３１が各種制御を行うことになるが、エアハンコントローラ３１が上位のシステムと接続されていない状態であっても、エアハンコントローラ３１が主体的に各種制御を実行することが可能である。この場合には、図示しないリモコンや本体操作スイッチからのエアハンコントローラ３１への操作入力に従って各種制御が実行される。
【００８５】
＜ビル用マルチ空調システムによるペリメータゾーンを対象とした空調制御＞
室外機２０２は、ネットワークの通信ライン１０を介して上位の設備管理装置１２と接続され、設備管理装置１２からの指令を受けることによって、ビル用マルチ空調システム２００において、室内機２０４、２０５とともに室内機２０３を稼働させる。これにより、図４において示すように、室内機２０３が、部屋８０のうち、主としてペリメータゾーンＰＺを対象とした空調を行うことができる。ここでのビル用マルチ空調システム２００による空調は、ペリメータ温湿度センサ２５３が検知する温湿度に基づいて行われる。
【００８６】
上述したように、セントラル空調システム１００が主としてインテリアゾーンＩＺを対象とし、ビル用マルチ空調システム２００が主としてペリメータゾーンＰＺを対象として、両システムが協調することで、部屋８０の空調を行うことができる。これにより、ＯＡ機器等からの発熱が空調負荷に影響を及ぼすインテリアゾーンＩＺと、窓１１からの輻射冷気が空調負荷に影響を及ぼすペリメータゾーンＰＺとで空調負荷の異なるエリアを含む部屋８０を対象とする場合であっても、それぞれのエリアの負荷に対応した空調を行うことができる。
【００８７】
ここで、セントラル空調システム１００とビル用マルチ空調システム２００との両システムが協調して、部屋８０を対象に空調する場合の空気流れについて、図４を参照しながら、以下説明する。
＜セントラル空調システムとビル用マルチ空調システムによる協調制御＞
空調負荷が大きくなるコアタイム中では、セントラル空調システム１００の中央熱源機器１１０を稼働させた空調が行われる。このセントラル空調システム１００では、図４および図５において示すように、室内機２０３によって調和されたビルマル給気ＳＢの一部である流用空気ＳＢ１と、インテリアゾーンＩＺからの還気であるインテリア還気ＲＡ１と、ペリメータゾーンＰＺからの還気であるペリメータ還気ＲＡ２と、外気ＯＡとが混合されて、エアハン１４のエアハン還気ＲＡを構成する。このエアハン還気ＲＡは、エアハン１４のフィルタ５３、冷却部４１，加熱部４２，加湿部４３等によって調和・清浄されてインテリアゾーンＩＺに対して給気され、部屋８０のうちのインテリアゾーンＩＺが空調される。具体的には、インテリア還気ＲＡ１はダクト１を介することで、流用空気ＳＢ１はバイパスＶＡＶユニット９０によって流量を調整されて流用ダクト９およびダクト２を介することで、ペリメータ還気ＲＡ２はダクト８およびダクト２を介することで、各空気が混合されて還気混合空気ＲＡ３となる。この還気混合空気ＲＡ３の温度は、流用空気ＳＢ１がバイパスＶＡＶユニット９０によって流量を調整されることで調整される。ここで、バイパスＶＡＶユニット９０は、上述した調製装置コントローラ３２によって、インテリア温湿度センサ１８の検知する値、室内機２０３の設定温度またはビルマル給気ＳＢの温度、導入する外気ＯＡの温度、エアハン１４におけるエアハン給気ＳＡの給気量に基づいて、流用空気ＳＢ１の流量の調整制御が行われる。ここでは、調製装置コントローラ３２がバイパスＶＡＶ制御部９１に対して制御信号を送信することで、バイパスＶＡＶ制御部９１がバイパスＶＡＶダンパ９２の開度を調整して風量増減制御されることで、流用空気ＳＢ１の流量が制御される（図２参照）。また、還気混合空気ＲＡ３の温度が、還気混合空気ＲＡに対してさらに所定量の外気ＯＡが混合された後にエアハン還気ＲＡとして求められる温度になるように、流用空気ＳＢ１の流量が調整される。温度調整された還気混合空気ＲＡ３はダクト３を介して、外気導入ダンパ７７において、外気導入ダクト４を介して導入量が調整された外気ＯＡと混合される。ここでは、還気混合空気ＲＡ３に対してさらに所定量の外気ＯＡが混合されることで、エアハン還気ＲＡが調製されてエアハン１４の還気側に供給される。このエアハン還気調製装置７０の外気導入ダンパ７７では、上述のように、外気導入量制御部７５によってダンパ７６の開度が制御され、外気ＯＡの導入量が一定の量に維持されるように調整される。なお、ここでは、外気ＯＡの導入量は、最低外気補償量を越える所定の量とされる。エアハン還気ＲＡは、エアハン１４の冷却部４１，加熱部４２，加湿部４３等によって調和され、エアハン給気ＳＡとなる。この調和されたエアハン給気ＳＡは、給気ファン４７によってダクト５を介して各ＶＡＶユニット１６まで供給され、各ＶＡＶユニット１６において風量が調整されることによりインテリアゾーンＩＺに対して給気される。
【００８８】
ビル用マルチ空調システム２００では、コアタイム中は、図４および図５において示すように、インテリアゾーンＩＺからの還気であるビルマル還気ＲＢを、室内機２０３の室内熱交換器２２３によって熱交換する等によって調和して、ビルマル給気ＳＢが調製される。このビルマル給気ＳＢは、その一部がペリメータゾーンＰＺに対して給気されることによりペリメータゾーンＰＺを対象とした空調を行い、残りの一部が上述の流用空気ＳＢ１としてエアハン還気ＲＡに供給される。具体的には、ビルマル還気ＲＢは、ダクト６を介して室内機２０３に取り込まれ、室内熱交換器２２３と熱交換を行うこと等により調和されて、ビルマル給気ＳＢとなる。このビルマル給気ＳＢの流量は、送風機２４３によって、バイパスＶＡＶユニット９０における流用空気ＳＢ１の流量を越える流量となるように制御される。このようにビルマル給気ＳＢは、送風機２４３によって室内機２０３外に吹き出されるが、バイパスＶＡＶユニット９０の風量に応じて、流用ダクト９およびダクト２を介して流用空気ＳＢ１としてエアハン還気ＲＡに供給され、残りの一部がダクト７を介してペリメータ給気ＳＢ２としてペリメータゾーンＰＺに対して給気される。ここでのバイパスＶＡＶユニット９０における風量は、上述のように調製装置コントローラ３２からの制御信号を受けるバイパスＶＡＶ制御部９１によって制御される。
【００８９】
［協調空調システムのコアタイム外のハイブリッド空調制御］
＜協調空調システムによるハイブリッド空調制御＞
コアタイム外においては、協調空調システムの空調対象となるビル等の物件における各階毎の空調負荷は異なるが、ほとんどの対象空間において残業時間帯となることで、インテリアゾーンＩＺの空調負荷が全体的に低下する。これに伴って、ハイブリッド空調制御が開始される。
【００９０】
ハイブリッド空調制御では、対象物件を一括空調しているセントラル空調システム１００の中央熱源機器１１０の運転が停止され、空調が必要となるエリアにおいては、ビル用マルチ空調システム２００を主として調製装置コントローラ３２によってバイパスＶＡＶユニット９０やエアハン還気調製装置７０の調整を開始して、室内機２０３を稼働し続け、エアハン１４は送風運転とする。すなわち、セントラル空調システム１００の中央熱源機器１１０の運転が停止して冷却部４１、加熱部４２等が機能しなくなっても、セントラル空調システム１００のエアハン１４の給気ファン４７を個別的に稼動させることで、セントラル空調システム１００の送風機能のみを利用する。なお、コアタイム外の残業時間帯において、外気冷房が有効となる状況では、後述する外気冷房を利用したハイブリッド空調制御が行われる。なお、セントラル空調システム１００の中央熱源機器１１０の運転に要するエネルギーは、ビル用マルチ空調システム２００の熱交換器の運転に要するエネルギーよりも多く、残業時間帯に中央熱源機器１１０を停止することで、効果的な省エネ効果が得られる。
【００９１】
まず、ハイブリッド空調制御の運転開始時においては、図６において示すように、バイパスＶＡＶユニット９０のバイパスＶＡＶダンパ９２が開けられてその開度が調製装置コントローラ３２によって制御され（図３参照）、流用ダクト９を通過する流用空気ＳＢ１の流量が調整されることになる。この際、室内機２０３の送風機２４３は、コアタイム中におけるビルマル給気ＳＢの風量よりもさらに流用空気ＳＢ１の分だけ風量を増大させる。すなわち、流用空気ＳＢ１とペリメータ給気ＳＢ２の合計がビルマル給気ＳＢとなるように、室内機２０３が送風機２４３を制御する。この制御によると、ハイブリッド空調制御が開始された場合でも、ペリメータゾーンＰＺに対するペリメータ給気ＳＢ２の流量は変わらないため、ペリメータゾーンＰＺの快適性を維持するように空調することができる。
【００９２】
なお、ハイブリッド空調制御が開始されると、バイパスＶＡＶユニット９０における流用空気ＳＢ１の流量は、調製装置コントローラ３２によって制御される。調製装置コントローラ３２では、インテリア温湿度センサ１８によって検知される値およびエアハン給気ＳＡの給気量、さらにはビルマル給気ＳＢの温度に基づいて、流用空気ＳＢ１の流量を制御する。これにより、インテリアゾーンＩＺにおける空調負荷およびバイパスＶＡＶユニット９０において得られる空気の温度に基づいて、インテリアゾーンＩＺにおいて必要とされる流用空気ＳＢ１の量をより確実に推定することができる。そして、温度調整されたエアハン還気ＲＡが、インテリアゾーンＩＺの空調負荷や、エアハン還気ＲＡの温度およびインテリア温湿度センサ１８によって検知される温度に応じて、風量調整部１７（給気ファン４７および各ＶＡＶユニット１６）によって風量調整され、インテリアゾーンＩＺの空調負荷の変動に対応した空調を行うことで、インテリアゾーンＩＺの快適性を維持できるようになる。
【００９３】
例えば、インテリアゾーンＩＺに配置されているＯＡ機器等からの発熱によって、インテリアゾーンＩＺの冷房負荷が増えてくると、インテリア温湿度センサ１８が検知する温度がインテリアゾーンＩＺにおける設定温度を超える状態となる。これにより、エアハンコントローラ３１から制御指令を受けるＶＡＶコントローラ６１が、ＶＡＶユニット１６において要求される給気量が上昇していることを検知して、ＶＡＶユニット１６の風量を上げる。これにより、風量調整部１７において風量が上げられ、給気ファン４７の送風量も上昇する。ここで、外気ＯＡ導入量は固定されているため、上昇した風量に対応するように、インテリア還気ＲＡ１と、ペリメータ還気ＲＡ２と、流用空気ＳＢ１との量が調整される。しかし、ここでは、バイパスＶＡＶユニット９０において流用空気ＳＢ１の流量が制御されることによって、インテリア還気ＲＡ１の還気量とペリメータ還気ＲＡ２の還気量とは自動的に定まることになる。このようにインテリア還気ＲＡ１とペリメータ還気ＲＡ２の還気量とが自動的に定まり、バイパスＶＡＶユニット９０における流用空気ＳＢ１の流量が制御されることで、エアハン還気ＲＡの温度が所定の温度となるように調整される。なお、残業時間帯におけるハイブリッド空調制御では、エアハン１４は熱交換を行わずに送風運転するだけであるため、このように温度調整されたエアハン還気ＲＡは、調整された所定の温度のままインテリアゾーンＩＺに対して給気される。なお、上昇した風量に対応するようにバイパスＶＡＶユニット９０における流用空気ＳＢ１の流量が増加する場合には、相対的にペリメータ給気ＳＢ２の流量が減少することになる。このため、ペリメータゾーンＰＺの空調を効果的に行うことが困難となりペリメータゾーンＰＺの温度が上昇する。そして、ペリメータ温湿度センサ２５３によって検知される温度が、ペリメータゾーンＰＺの設定温度を超える状態になると、室内機２０３が空調機能を高めて、室内熱交換器２２３や送風機２４３の出力を上げることで、ペリメータゾーンＰＺの快適性を確保することができるような空調が行われる。なお、これによりバイパスＶＡＶユニット９０における流用空気ＳＢ１の温度も下がることになる。これにより、エアハン還気ＲＡの温度を、目標とする温度に確実に調整できるようになる。
【００９４】
また、例えば、インテリアゾーンＩＺの冷房負荷が減少してくると、上記制御とは反対に、エアハン給気ＳＡの流量が減少し、バイパスＶＡＶユニット９０の流用空気ＳＢ１の流量も減少し、相対的にペリメータ給気ＳＢ２の量が上昇する。これにより、ペリメータゾーンＰＺが冷え過ぎる状態となり、室内機２０３は、空調能力を下げて、ペリメータゾーンＰＺの快適性を保つことになる。また、これにより、流用空気ＳＢ１の温度が上がり、エアハン還気ＲＡの温度を、目標とする温度に確実に調整できるようになる。
【００９５】
このように、残業時間帯等におけるハイブリッド空調制御では、インテリアゾーンＩＺの空調負荷の変動は、ビル用マルチ空調システム２００の空調能力の加減によって対応した調整が行われ、セントラル空調システムの中央熱源機器１１０の運転が停止された残業時間帯であっても、空調対象であったインテリアゾーンＩＺの快適性を維持することができる。
【００９６】
＜協調空調システムによる外気冷房を利用したハイブリッド空調制御＞
コアタイム外の残業時間帯において、外気冷房が有効となる状況では、上述した外気ＯＡの導入量を一定量とするのではなく積極的に外気ＯＡの導入を行う制御である、外気冷房を利用したハイブリッド空調制御が行われる。ここで、外気冷房が有効となる状況としては、外気ＯＡのエンタルピが、インテリアゾーンＩＺの空気のエンタルピよりも小さい場合や、外気ＯＡの温度が、インテリアゾーンＩＺの空気の温度よりも低い場合等であり、外気温湿度センサ７８の検知する値に基づいて判断される。
【００９７】
外気冷房を利用したハイブリッド空調制御では、図７において示すように、インテリア還気ＲＡ１と、ペリメータ還気ＲＡ２と、流用空気ＳＢ１との量が調整されることで、還気混合空気ＲＡ３（図７参照）が調製される。ここでは、バイパスＶＡＶユニット９０における流用空気ＳＢ１の流量制御によって、インテリア還気ＲＡ１の還気量とペリメータ還気ＲＡ２の還気量とに対する流量が調整され、還気混合空気ＲＡ３の温度が所定の温度となるように調整される。これにより所定の温度に調整された還気混合空気ＲＡ３は、さらに外気ＯＡが混合されて、エアハン還気ＲＡとして要求される温度の空気に調整される。ここでの温度調整は、外気冷房有効時における外気ＯＡの導入量を増減させることで調整する。
【００９８】
例えば、インテリアゾーンＩＺの冷房負荷が増えた場合には、外気冷房有効時の外気ＯＡの導入量を増加させることで、エアハン還気ＲＡの温度が所定の温度に維持されるように調整することができる。この場合には、外気ＯＡの導入量増加によって、相対的にインテリア還気ＲＡ１とペリメータ還気ＲＡ２の量が減少し、その減少分に応じて排気量が増えることになる（図示せず）。
【００９９】
また、インテリアゾーンＩＺの冷房負荷が減少した場合には、外気冷房有効時の外気ＯＡの導入量を減少させることで、エアハン還気ＲＡの温度が所定の温度に維持されるように調整することができる。この場合には、外気ＯＡの導入量減少によって、相対的にインテリア還気ＲＡ１とペリメータ還気ＲＡ２の量が増加し、その増加分に応じて排気量が減少することになる（図示せず）。
【０１００】
このように、残業時間帯等における外気冷房を利用したハイブリッド空調制御では、インテリアゾーンＩＺの空調負荷の変動は、外気ＯＡ導入量の増減によって対応した調整が行われ、セントラル空調システムの中央熱源機器１１０の運転が停止された残業時間帯であっても、空調対象であったインテリアゾーンＩＺの快適性を維持することができ、省エネ効果も得られる。
【０１０１】
［本実施形態の協調空調システムの特徴］
（１）
従来の空気調和システムでは、１つの物件に対して２つの空調システムが用いられ、空調負荷の異なるエリアに対してそれぞれ空調システムを対応させることで両エリアを空調している。ところが、一方の空調システムの空調機能が停止された場合には当該停止した空調システムを用いて空調されていたエリアを空調することができない。この場合、他方の稼働中の空調装置によって得られる調和空気を当該空調されていたエリアに対して給気させることで対処している。しかし、稼働中の空調装置によって得られる調和空気を単に当該空調されていたエリアに対して給気するだけでは、当該空調されていたエリアの環境条件等に基づく空調負荷の変動が考慮されず、快適性が損なわれてしまうおそれがある。
【０１０２】
これに対して、上記協調空調システムでは、ビルマル給気ＳＢの一部を流用空気ＳＢ１として、ペリメータゾーンＰＺを介さない流用ダクト９を通過させてエアハン１４の還気ＲＡの一部とすることが可能である。この流用空気ＳＢ１は、空調負荷のあるペリメータゾーンＰＺを介することなく流用ダクト９を通過させることで、室内機２０３で調和された状態をほぼ維持したままエアハン還気ＲＡの一部として流用することができる。また、バイパスＶＡＶユニット９０によって、流用空気ＳＢ１の流量を調整することができる。このため、残業時間帯等においてセントラル空調システム１００の中央熱源機器１１０の運転が停止された場合であっても、この流用ダクト９を通過する流用空気ＳＢ１の流量が調整されることにより、インテリアゾーンＩＺにおいて要求される調和空気を調製して給気することができる。このため、中央熱源機器１１０の運転が停止した場合であっても、エアハン１４が空調していたインテリアゾーンＩＺの快適性が損なわれないように、インテリアゾーンＩＺの空調を続行することができる。なお、セントラル空調システム１００の中央熱源機器１１０の運転が停止された場合であっても、新たな空調装置等を用いることなく、既存の空気調和システムによってインテリアゾーンＩＺを空調することができる。
【０１０３】
また、セントラル空調システム１００の中央熱源機器１１０が停止した場合であっても、エアハン１４の風量調整部１７を積極的に有効に利用することで送風運転することが可能であり、インテリアゾーンＩＺの各エリアに対して調和空気を給気でき、インテリアゾーンＩＺにおける全体的な空調を続行できる。また、中央熱源機器１１０の運転が停止されており、エアハン１４自体では熱交換等が行われないことから、セントラル空調システム１００側の空調負荷をなくして省エネを図ることができる。なお、セントラル空調システム１００の運転を、より個別的な空調方式であるビル用マルチ空調システム２００よりも優先して停止させることで、省エネを効果的なものとすることができる。
【０１０４】
また、外気導入ダクト４を介して外気導入ダンパ７７によって外気ＯＡの導入量を調整しつつ取り込むことで、エアハン１４の空調負荷を低減させ、省エネ効果が得られる。
（２）
上記協調空調システムでは、バイパスＶＡＶユニット９０が、流用空気ＳＢ１の流量を、エアハン１４の風量調整部１７における給気量に基づいて調整することができる。このため、インテリアゾーンＩＺにおいて求められる調和空気の状態を反映させて調整することができる。
【０１０５】
また、風量調整部１７において、流用空気ＳＢ１を積極的に取り込むことで、流用空気ＳＢ１がペリメータゾーンＰＺやインテリアゾーンＩＺに対して逆流してしまうことを防いで、インテリアゾーンＩＺに対してより確実に給気することができる。また、外気冷房有効時において、外気ＯＡの導入が困難となるような弊害を防止することも可能となる。
また、中央熱源機器１１０の運転が停止されても、エアハン１４の給気ファン４７と複数のＶＡＶユニット１６とを協働させて、インテリアゾーンＩＺのゾーン毎に対応した風量に調整することで、ゾーン毎のより細やかな空調ができる。
【０１０６】
以上の各制御によって、インテリアゾーンＩＺを快適にすることができる。
（３）
上記協調空調システムでは、インテリアゾーンＩＺの温度がインテリア温湿度センサ１８によって検知され、バイパスＶＡＶユニット９０がこれに基づいて流用空気ＳＢ１の流用量を調整するため、エアハン還気ＲＡの温度調整に反映させることができる。
【０１０７】
また、バイパスＶＡＶユニット９０が、室内機２０３のビルマル給気ＳＢの温度または室内機２０３の設定温度に基づいて流用空気ＳＢ１の流量を調整するため、インテリアゾーンＩＺの空調に必要な量の流用空気ＳＢ１に調整することができる。
なお、バイパスＶＡＶユニット９０は、インテリアゾーンＩＺを快適にするために必要とされる流用空気ＳＢ１の流量を、ビルマル給気ＳＢの温度または室内機２０３の設定温度とインテリアゾーンＩＺにおける設定温度との関係で調整することで、インテリアゾーンＩＺの快適性が損なわれにくいようにより効果的な空調を行うことができるようになる。例えば、インテリアゾーンＩＺが冷房負荷の状態である場合においても、ビルマル給気ＳＢの温度または室内機２０３の設定温度がインテリアゾーンＩＺの設定温度よりも低ければ低いだけ流用空気ＳＢ１の流量は少量で足りることになる。
【０１０８】
（４）
上記協調空調システムでは、室内熱交換器２２３によって得られるビルマル給気ＳＢのトータル流量を、流用空気ＳＢ１の流量を越える流量に調整する。このため、バイパスＶＡＶユニット９０において必要とされる流用空気ＳＢ１の流量が増加する場合であっても、ペリメータゾーンＰＺに対するペリメータ給気ＳＢ２を確保することができ、ペリメータゾーンＰＺにおける空調も確保することができる。また、室内機２０３は、ペリメータ温湿度センサ２５３が検知する値に基づいて、室内機２０３の設定温度とビルマル給気ＳＢの流量を調整する。このため、ペリメータゾーンＰＺについての快適性も向上させることができる。
【０１０９】
［他の実施形態］
以上、本発明の一実施形態について説明したが、本発明は上記実施形態に限定されるものではなく、発明の要旨を逸脱しない範囲で種々の変更が可能である。
（Ａ）
上記協調空調システムでは、流用ダクト９には、流用空気ＳＢ１の風量を調整するためのバイパスＶＡＶユニット９０が配置されている。
【０１１０】
これに対して、図８、図９、図１０において示すように、流用ダクト９の仕切度合いを調整することで流用空気ＳＢ１の量を調整することが可能なバイパスダンパ１９０を配置する構成であってもよい。この場合であっても、ビルマル給気ＳＢのうちの必要な量を流用空気ＳＢ１として、流用ダクト９を介してエアハン１４の還気側に送ることができる。このバイパスダンパ１９０も、上記実施形態におけるバイパスＶＡＶユニット９０と同様に、調製装置コントローラ３２によって制御させることが可能である。すなわち、図９に示すように、バイパスダンパ１９０のダンパ１９２の開度を調整するバイパスダンパ制御部１９１を備えさせ、バイパスダンパ１９０を通過させる空気の温度を検知可能な温度センサ１９３を設けることで、上記バイパスＶＡＶユニット９０と同様の制御が可能となる。
【０１１１】
（Ｂ）
上記協調空調システムでは、ビル用マルチ空調システム２００の室内機２０３は、ペリメータ温湿度センサ２５３で検知される値に基づいて、室内機２０３の設定温度やビルマル給気ＳＢの流量を調整する。
これに対して、バイパスＶＡＶユニット９０において、風量の許容量である最大流用量ＳＢ１ｍａｘが定められている場合に、ビル用マルチ空調システム２００の室内機２０３は、バイパスＶＡＶユニット９０の最大流用量ＳＢ１ｍａｘと流用空気ＳＢ１の流量との関係に基づいて、室内機２０３の設定温度やビルマル給気ＳＢの流量を調整するようにしてもよい。この場合には、インテリアゾーンＩＺの空調負荷の増大等に伴いバイパスＶＡＶユニット９０が最大流用量ＳＢ１ｍａｘを越えて、インテリアゾーンＩＺの空調の実効性を確保することが困難な状況となりそうな場合であっても、室内機２０３の設定温度やビルマル給気ＳＢの流量等の空調能力を加減させて、バイパスＶＡＶユニット９０における流用空気ＳＢ１の流量が最大流用量を越えないようにすることが可能となり、インテリアゾーンＩＺの快適性が損なわれることをより確実に抑えた空調制御を行うことができる。この場合には、各部の風量負荷を低減させることによる省エネ効果も得られる。
【０１１２】
また、上記協調空調システムでは、セントラル空調システム１００の風量調整部１７は、インテリア温湿度センサ１９で検知される値に基づいて、インテリアゾーンＩＺに対するエアハン給気ＳＡの流量を調整している。
これに対して、風量調整部１７において、風量の許容量であるエアハン最大給気量ＳＡｍａｘが定められている場合に、ビル用マルチ空調システム２００の室内機２０３は、エアハン最大給気量ＳＡｍａｘとエアハン給気ＳＡの流量との関係に基づいて、室内機２０３の設定温度やビルマル給気ＳＢの流量を調整するようにしてもよい。これによると、インテリアゾーンＩＺの空調負荷の変動に伴い風量調整部１７の風量がエアハン最大給気量ＳＡｍａｘを超えるような状況になりそうな場合であっても、インテリアゾーンＩＺの快適性が損なわれないようにすることができ、インテリアゾーンＩＺの空調の確実性を向上させることができる。
【０１１３】
例えば、インテリアゾーンＩＺのＯＡ機器等からの発熱等に伴う空調負荷の増大等によって、風量調整部１７のエアハン最大許容量ＳＡｍａｘでは有効な空調を実行できなくなってきた場合に、ビル用マルチ空調システム２００の室内熱交換器２２３や送風機２４３が出力を上げて空調能力を向上させる等により、インテリアゾーンＩＺにおける空調負荷の変動に対応させた有効な空調が可能となる。また、ビル用マルチ空調システム２００の室内２０３が空調能力を上げることによってバイパスＶＡＶユニット９０や風量調整部１７の風量を低減させることができる場合には、バイパスＶＡＶユニット９０や風量調整部１７の送風運転に要するエネルギーを抑えた省エネ効果が得られる。また、逆に、インテリアゾーンＩＺの空調負荷が減少してきた場合には、ビル用マルチ空調システム２００の室内機２０３が空調能力を下げることで、室内機２０３の運転に要するエネルギーを抑えた省エネ効果が得られる。
【０１１４】
（Ｃ）
上記協調空調システムでは、インテリアゾーンＩＺの空調負荷の変動等により流用空気ＳＢ１の流量が増大するとペリメータゾーンＰＺに対するペリメータ給気ＳＢ２の流量が減少し、ペリメータゾーンＰＺの空調の実効性が低下する。この場合に、ペリメータ温湿度センサ２５３がペリメータゾーンＰＺの設定温度にズレが生じたことを検知することで、初めて室内機２０３の空調機能の出力を上げる等の制御が行われ、ペリメータゾーンＰＺの快適性が確保されることになる。
【０１１５】
これに対して、ビル用マルチ空調システム２００の室内機２０３では、バイパスＶＡＶユニット９０の流用空気ＳＢ１の流量に基づいて、室内機２０３の設定温度やビルマル給気ＳＢの流量を調整するようにしてもよい。この場合には、室内機２０３は、ペリメータ給気ＳＢ２の流量の増減を認識しつつ調和空気の流量を調整することができ、流用空気ＳＢ１の流量増大（ペリメータ給気ＳＢ２の流量減少）を考慮した設定温度やビルマル給気ＳＢの流量の調整が可能となる。
【０１１６】
（Ｄ）
上記協調空調システムでは、ビル用マルチ空調システム２００に対して給気側に外気導入ダンパ７７を配置させ、外気ＯＡを導入している。
これに対して、外気ＯＡの導入箇所は、上記位置に限られず、ビル用マルチ空調システム２００の還気側に外気導入ダンパ７７を配置させてもよい。この場合には、外気の温度や湿度は気象条件によって変化するものの、室内機２０３によって直接設定温度に調整されるため、インテリア給気ＳＡの温度を調整するための外気導入量の調整制御を不要にすることができる。
【０１１７】
なお、協調空調システムが適用される対象となるビル等において、外気導入ダンパ７７や外気導入ダクト４の配置が、室内機２０３の給気側と還気側とのいずれでもよい場合には、本協調空調システムを対象物件に適用する際の配置の自由度を確保することができる。
（Ｅ）
上記協調空調システムでは、エアハン還気調製装置７０には、外気導入ダンパ７７、外気導入量制御部７５が設けられ、調製装置コントローラ３２によって外気導入量を制御させている。
【０１１８】
これに対して、図８、図９、図１０において示すように、エアハン還気調製装置７０と同様に外気導入ダンパ７７と外気導入量制御部７５と、さらにダンパ７２の開度を調整して還気系の混合比率を調整して混合空気の温度を調整可能な混合比率制御部７１が設けられ、調製装置コントローラ３２によって制御されるエアハン還気調整装置１７０であってもよい。
【０１１９】
この場合には、上記変形例（Ａ）で示すように、バイパスダンパ１９０とともにエアハン還気調整装置１７０を用いることができ（図８、図９、図１０参照）、バイパスダンパ１９０の流量調整における強制力が上記実施形態のバイパスＶＡＶユニット９０の強制力と比べて劣ることがあっても、エアハン還気調整装置１７０と協働させて制御することで、エアハン還気ＲＡをエアハン１４において要求されている温度に調整でき、上記実施形態と同様の効果が得られる。すなわち、流用空気ＳＢ１の流量と、インテリア還気ＲＡ１の流量と、ペリメータ還気ＲＡ２の流量とが混合して得られる還気混合空気ＲＡ３の温度が、還気ダンパ７３において調整（混合比率制御部７１によるダンパ７２の調整）されることで、バイパスダンパ１９０において十分な流量調整ができない場合であっても、エアハン１４における空調の実効性を確保することができる。
【産業上の利用可能性】
【０１２０】
本発明に係る空気調和システム、空調制御装置および空気制御方法によれば、例えば、第１熱源機器を用いて主としてインテリアゾーンを空調して第２熱源機器を用いて主としてペリメータゾーンを空調する場合において、１つの熱源機器の運転が停止した時であっても、当該熱源機器を用いて空調していたエリアの快適性が損なわれにくいようにすることができるため、インテリアゾーンとペリメータゾーンとを対象として空気調和を行うための空気調和システム、空調制御装置および空気制御方法への適用が特に有用である。
【図面の簡単な説明】
【０１２１】
【図１】協調空調システムの計装ブロック概略図。
【図２】セントラル空調システムを主として示した概略図。
【図３】ビル用マルチ空調システムの概略図。
【図４】協調空調システムにおける空気の流れを示す概略図。
【図５】コアタイム中における空気の流れを示す図。
【図６】ハイブリッド空調制御時における空気の流れを示す図。
【図７】外気冷房時におけるハイブリッド空調制御における空気の流れを示す図。
【図８】変形例に係る協調空調システムの計装ブロック概略図。
【図９】変形例に係るセントラル空調システムを主として示した概略図。
【図１０】変形例に係る協調空調システムにおける空気の流れを示す概略図。
【符号の説明】
【０１２２】
４    外気導入流路（外気導入ダクト）
９    流路（流用ダクト）
１２    空調制御装置（設備管理装置）
１２ａ  検知部（取得部）
１２ｂ  制御部
１４    第１空調装置（エアハン）
１６    第１エリア風量調整手段（ＶＡＶユニット）
１７    第１給気量調整部（風量調整部）
１８    第１温度検知部（インテリア温湿度センサ）
４１    第１空調機能（冷却部）
４２    第１空調機能（加熱部）
４３    第１空調機能（加湿部）
４７    第１調和空気供給手段（給気ファン）
７０    外気量調整装置（エアハン還気調製装置）
８０    空調対象エリア（部屋）
９０    流量調整装置（バイパスＶＡＶユニット）
１１０    第１空調機能（中央熱源機器）
１９０    流量調整装置（バイパスダンパ）
２０３    第２空調装置（室内機）
２２３    第２空調機能（室内熱交換器）
２５３    第２温度検知部（ペリメータ温湿度センサ）
ＩＺ    第１エリア（インテリアゾーン）
ＯＡ    外気
ＰＺ    第２エリア（ペリメータゾーン）
ＲＡ    還気（エアハン還気）
ＳＡ    第１調和空気（エアハン給気）
ＳＡｍａｘ    第１許容量（エアハン最大給気量）
ＳＢ    第２調和空気（ビルマル給気）
ＳＢ１ｍａｘ    被調整空気許容量（最大流用量）
ＳＢ１  被調整空気（流用空気）
【図１】
2006064259.tif 000003
【図２】
2006064259.tif 000004
【図３】
2006064259.tif 000005
【図４】
2006064259.tif 000006
【図５】
2006064259.tif 000007
【図６】
2006064259.tif 000008
【図７】
2006064259.tif 000009
【図８】
2006064259.tif 000010
【図９】
2006064259.tif 000011
【図１０】
2006064259.tif 000012